(57)【要約】【課題】受信原稿から発信元情報と文書全体とを迅速に把握することができるファクシミリ装置を提供する。【解決手段】受信した画像データから該画像データの発信元を特定する発信元情報を少なくとも分離して表示装置６に出力する発信元分離装置５を有し、上記表示装置６は、それぞれが独立して表示制御可能な、上記発信元情報を表示する第１の表示領域６ａと、受信した画像データに含まれる発信元情報以外の情報である本文情報を少なくとも含む情報を表示する第２の表示領域６ｂとを少なくとも有する。【選択図】図１
2007243341.tif 000002
【特許請求の範囲】
【請求項１】
受信した画像データを表示する表示手段を備えたファクシミリ装置において、
受信した画像データから該画像データの発信元を特定する発信元情報を少なくとも分離して上記表示手段に出力する情報分離手段を有し、
上記表示手段は、それぞれが独立して表示制御可能な、上記発信元情報を表示する第１の表示部と、受信した画像データに含まれる発信元情報以外の情報である本文情報を少なくとも含む情報を表示する第２の表示部とを少なくとも有することを特徴とするファクシミリ装置。
【請求項２】
上記情報分離手段は、
上記発信元情報を、受信した画像データのライン数から特定し、該画像データから分離することを特徴とする請求項１に記載のファクシミリ装置。
【請求項３】
上記情報分離手段は、
受信した画像データを上記表示手段に表示させる画像に展開する画像データ展開部と、
上記画像データ展開部によって展開された画像データの先頭からの黒または白のライン数を検出するライン数検出部と、
上記ライン数検出部により検出された黒のライン数に対応する画像領域を、上記発信元情報を示す発信元領域であると特定する発信元領域特定部と、
上記ライン数検出部により検出された白のライン数に対応する画像領域を、上記発信元情報と本文情報との境界を示す境界領域であると特定する境界領域特定部と、
上記発信元情報特定部により特定された発信元領域と、上記境界領域特定部により特定された境界領域とから、発信元情報と本文情報とを分離する情報分離部とを有することを特徴とする請求項１に記載のファクシミリ装置。
【請求項４】
上記情報分離手段は、
受信した画像データの先頭からのライン数が、予め設定した本数である領域を発信元情報であると特定する発信元情報特定部と、
上記発信元情報特定部により特定された発信元情報を、上記受信した画像データから分離する情報分離部とを有することを特徴とする請求項１に記載のファクシミリ装置。
【請求項５】
上記第２の表示部には、上記発信元情報を含む受信した画像データが表示されることを特徴とする請求項１〜４の何れか１項に記載のファクシミリ装置。
【請求項６】
上記第１の表示部の解像度は、上記第２の表示部の解像度よりも高いことを特徴とする請求項１〜５の何れか１項に記載のファクシミリ装置。
【発明の詳細な説明】
【技術分野】
【０００１】
本発明は、受信データを表示する表示装置を備えたファクシミリ装置に関し、特に、ファクシミリ装置の受信データの表示方式に関するものである。
【背景技術】
【０００２】
従来、受信した画像データをメモリに格納しておき、ユーザの操作により表示装置に画像データを表示させるファクシミリ装置が知られている。画像データを表示させることができるので、受信した画像データを印字する前に、該画像データの内容を確認することができる。
【０００３】
ところで、一般に流通している多くのファクシミリ装置の表示装置は、受信した画像データの解像度よりも、解像度が低い。それゆえ、受信した画像データを表示装置に表示させる際、受信した画像データの解像度を表示装置の解像度に変換して、受信した画像データ全体を表示させている。
【０００４】
しかしながら、ファクシミリ装置の受信する画像データには、発信元が送信した文書の画像データの他に、各ページの、例えば先頭に、発信元情報（会社名、ファクシミリ番号など）が付加されている。従って、上記のように、受信した画像データを表示装置に表示させた場合、表示された画像データの解像度は受信画像データの解像度よりも低くなるので、受信した画像データの原稿内容の細部の知得や、含まれている発信元情報などの文字情報における文字の識別が困難になるという問題があった。
【０００５】
そこで、例えば、特許文献１では、受信原稿内容の全体および細部の双方の知得ができるようにするために、受信原稿１頁分を縮小して１頁原稿全体を表示する第１画面と、マウスなどの指定する手段を用いて、該第１画面上における指定した所定領域を拡大表示する第２画面とを備えるという技術が開示されている。
【特許文献１】実開平５−６３１６０号公報（１９９３年８月２０日公開）
【発明の開示】
【発明が解決しようとする課題】
【０００６】
ところで、上記特許文献１に記載の技術では、発信元情報を確認する場合、まず、表示装置の第１画面に、受信原稿内容の全体および細部の双方の知得ができるようにするために、受信原稿１頁分を縮小して１頁原稿全体を表示し、表示画面から、ユーザは発信元情報を識別し、領域を指定し、指定した領域を拡大して第２画面に表示させている。
【０００７】
しかしながら、第１画面には、縮小表示された画像が表示されているので、縮小の割合によっては、表示画像から文字を識別すること、すなわち発信元情報を識別するのが困難な場合がある。このような場合には、第２画面に表示された画像に必要な情報（発信元情報）が含まれていない虞がある。このため、発信元情報を第２画面に表示させるために、第１画面に表示された画像から試行錯誤して拡大すべき領域を指定しなければならず、発信元情報を特定するまでに非常に手間がかかるという問題が生じる。
【０００８】
また、通常、ファクシミリ装置では、受信する画像データの向きが送信側の読み取らせる原稿の向きによって決定されるので、受信した画像データを表示させる場合に、表示画像の向きが逆向きである場合がある。このような場合には、発信元情報の向きと文書の向きとが異なるために、文章の内容を迅速に把握するには、表示画面を回転させる必要があり、受信内容の確認をするのに非常に手間がかかるという問題が生じる。特に、上記特許文献１のように、第１画面に表示された受信原稿から、特定の領域を指定する場合においては、受信原稿が逆向きに表示されていては、特定の領域（発信元情報）を指定するまでに非常に時間がかかるという問題が生じる。
【０００９】
以上のことから、従来の技術では、受信原稿から発信元情報と文書全体とを迅速に把握することができないという問題が生じる。
【００１０】
本発明は、上記従来の問題点に鑑みなされたものであって、その目的は、受信原稿から発信元情報と文書全体とを迅速に把握することができるファクシミリ装置を提供することにある。
【課題を解決するための手段】
【００１１】
本発明のファクシミリ装置は、上記課題を解決するために、受信した画像データを表示する表示手段を備えたファクシミリ装置において、受信した画像データから該画像データの発信元を特定する発信元情報を少なくとも分離して上記表示手段に出力する情報分離手段を有し、上記表示手段は、それぞれが独立して表示制御可能な、上記発信元情報を表示する第１の表示部と、受信した画像データに含まれる発信元情報以外の情報である本文情報を少なくとも含む情報を表示する第２の表示部とを少なくとも有することを特徴としている。
【００１２】
上記構成によれば、表示手段は、それぞれが独立して表示制御可能な、上記発信元情報を表示する第１の表示部と、受信した画像データに含まれる発信元情報以外の情報である本文情報を少なくとも含む情報を表示する第２の表示部とを少なくとも有することで、受信した画像データに含まれる発信元情報と本文情報とが別々に、しかも同時に表示させる事が可能となる。
【００１３】
これにより、ユーザが発信元情報を確認するまでの手間を大幅に省くことができる。つまり、従来のように、受信した画像データを縮小表示させた後、該縮小画像の中から発信元情報を特定するといった手間を無くすことができる。
【００１４】
また、上記表示手段における各表示部は、独立して表示制御可能であるので、第１の表示部と第２の表示部とで異なる解像度で情報を表示させる事が可能となる。
【００１５】
ここで、受信した画像データにおいて、発信元情報は電話番号などの文字であるので、第１の表示部の解像度を高くして発信元情報を表示させれば、発信元情報が拡大表示されることになり、ユーザは発信元情報を迅速に且つ的確に認識することができる。
【００１６】
また、受信した画像データにおいて、発信元情報以外の情報は、発信元が送信相手に確認してほしい情報、すなわち全体を迅速に把握してほしい情報であるので、第２の表示部の解像度を低くして該情報を表示させれば、該情報が縮小表示され、ユーザは情報の全体を迅速に認識することができる。
【００１７】
このように、上記情報分離手段によって、受信した画像データから、発信元情報とそれ以外の情報とを分離し、それぞれの情報を上記情報表示手段の第１の表示部および第２の表示部に表示されるので、ユーザが受信した画像データの発信元情報を確認するために、受信した画像データの全体を把握して、その中から発信元情報を探し出して、拡大表示して確認するという手間がかからない。
【００１８】
上記の情報分離手段としては、以下のような構成が可能である。
【００１９】
例えば、上記情報分離手段は、上記発信元情報を、受信した画像データのライン数から特定し、該画像データから分離するようにしてもよい。
【００２０】
また、上記情報分離手段は、受信した画像データを上記表示手段に表示させる画像に展開する画像データ展開部と、上記画像データ展開部によって展開された画像データの先頭からの黒または白のライン数を検出するライン数検出部と、上記ライン数検出部により検出された黒のライン数に対応する画像領域を、上記発信元情報を示す発信元領域であると特定する発信元領域特定部と、上記ライン数検出部により検出された白のライン数に対応する画像領域を、上記発信元情報と本文情報との境界を示す境界領域であると特定する境界領域特定部と、上記発信元情報特定部により特定された発信元領域と、上記境界領域特定部により特定された境界領域とから、発信元情報と本文情報とを分離する情報分離部とを有してもよい。
【００２１】
さらに、上記情報分離手段は、受信した画像データの先頭からのライン数が、予め設定した本数である領域を発信元情報であると特定する発信元情報特定部と、上記発信元情報特定部により特定された発信元情報を、上記受信した画像データから分離する情報分離部とを有してもよい。
【００２２】
また、上記第２の表示部には、上記発信元情報を含む受信した画像データが表示されていてもよい。
【００２３】
上記構成によれば、表示手段は、第１の表示部に発信元情報を表示し、第２の表示部に発信元情報を含む受信した画像データを表示する。それゆえ、第２の表示部に発信元情報を含む受信した画像データを表示させるので、発信元情報と発信元情報を含む受信した画像データすなわち文書全体とを迅速に把握することができる。
【００２４】
また、上記第１の表示部の解像度は、上記第２の表示部の解像度よりも高いことが好ましい。
【００２５】
上記構成によれば、第１の表示部の解像度は、第２の表示部の解像度よりも高いので、発信元情報をより確実に、且つ迅速に把握することができる。
【発明の効果】
【００２６】
本発明のファクシミリ装置は、以上のように、受信した画像データから該画像データの発信元を特定する発信元情報を少なくとも分離して上記表示手段に出力する情報分離手段を有し、表示手段は、それぞれが独立して表示制御可能な、上記発信元情報を表示する第１の表示部と、受信した画像データに含まれる発信元情報以外の情報である本文情報を少なくとも含む情報を表示する第２の表示部とを少なくとも有することで、発信元情報と文書全体とを迅速に把握することができるという効果を奏する。
【発明を実施するための最良の形態】
【００２７】
〔実施の形態１〕
本発明の一実施形態について説明すれば、以下の通りである。
【００２８】
図１は、本実施の形態のファクシミリ装置１００の構成を示すブロック図である。
【００２９】
本実施の形態のファクシミリ装置１００は、図１に示すように、公衆通信網を介して画像データの送受信を行う通信インターフェースとして機能する網制御装置１、該ファクシミリ装置１００全体を制御する制御装置２、上記網制御装置１を介して受信した画像データが記憶されるファクシミリ画像記憶装置３、該ファクシミリ画像記憶装置３に記憶された画像データが展開された状態で一時的に記憶されるＲＡＭ４、上記ＲＡＭ４に展開された画像データから発信元情報を分離する発信元分離装置５、受信した画像データなどの通信情報を表示する表示装置６、およびファックス番号や印刷指示などを入力するための入力装置７を備えている。なお、図１では、受信した画像データを印字するための印字部は省略している。
【００３０】
上記構成のファクシミリ装置１００では、表示装置６には受信した画像データを展開して表示するようになっているので、ユーザは、受信した画像データを印字部により印字する前に受信内容を確認することが可能となっている。
【００３１】
上記受信した画像データを展開した場合、例えば図７の（ａ）に示すように、発信元が送信した文書の画像データ（図７の（ａ）では鳥の絵）（以下、本文情報とする）の他に、各ページの、例えば先頭に、受信した画像データの発信元を特定するための発信元情報（図７の（ａ）ではＦＡＸ：０１２３４５６７８９）が付加されている。
【００３２】
なお、本実施の形態では、図７の（ａ）に示すように、発信元情報の一例としてＦＡＸ番号を示す。また、発信元分離装置５によって、図７の（ｂ）に示すように、画像データは分離される。
【００３３】
次に、発信元分離装置５の詳細な構成について図２を参照しながら以下に説明する。
【００３４】
図２は、発信元分離装置５の構成を示すブロック図である。
【００３５】
発信元分離装置５は、ＲＡＭ４に展開された画像データから発信元情報を分離するものであり、画像データ展開部５ａ、ライン数検出部５ｂ、発信元情報部検出部５ｃ、境界指定部５ｄ、および画像データ分離部５ｅを備えている。
【００３６】
画像データ展開部５ａは、ファクシミリ画像記憶装置３に記憶された画像データを上記表示装置６に表示させる形式の画像となるように、上記ＲＡＭ４に展開するようになっている。
【００３７】
ライン数検出部５ｂは、上記画像データ展開部５ａによってＲＡＭ４に展開された画像データに含まれている、発信元情報が付加されている領域（以下、発信元情報部とする）に対応するライン数を検出するとともに、発信元情報部と発信元情報部以外の部分の境界を示す領域に対応するライン数を検出するようになっている。つまり、ライン数検出部５ｂは、展開された画像データの先頭からの黒または白のライン数を検出することで、発信元情報部、およびそれ以外の領域を検出している。
【００３８】
発信元情報部検出部５ｃは、ライン数検出部５ｂの検出結果に基づいて、発信元情報部を検出する。つまり、ライン数検出部５ｂにより検出された黒ライン数に対応する画像領域を、上記発信元情報部であると特定する。
【００３９】
境界指定部５ｄは、ライン数検出部５ｂの検出結果に基づいて、発信元情報部と発信元情報部以外の部分（以下、本文とする）との境界ラインを指定する。つまり、ライン数検出部５ｂにより検出された白ライン数に対応する画像領域を、上記境界ラインであると特定する。
【００４０】
画像データ分離部（情報分離部）５ｅは、指定された境界ラインに基づいて、受信した画像データを発信元情報部と本文とに分離する。なお、具体的な分離方法は後述する。
【００４１】
次に、表示装置６の詳細な構成について図１を参照しながら以下に説明する。
【００４２】
表示装置６は、少なくとも受信した画像データなどの通信に関する情報を表示するようになっており、それぞれが独立して表示制御可能な、第１の表示部としての第１の表示領域６ａおよび第２の表示部としての第２の表示領域６ｂを備えている。例えば、図８（ａ）に示すように、第１の表示領域６ａは発信元情報部を表示し、第２の表示領域６ｂは本文を表示するようになっている。なお、第１の表示領域６ａおよび第２の表示領域６ｂは、あらかじめ設定された形状をとる。
【００４３】
次に、入力装置７の詳細な構成について図３を参照しながら以下に説明する。
【００４４】
図３は、入力装置７の操作ボタン部７ａの一例を示す図である。
【００４５】
入力装置７は、図３に示すように、ユーザが操作するための操作ボタン部７ａを備え、表示画面の操作を行うためのものである。上記操作ボタン部７ａは、画像選択部７１、表示領域選択部７２、および移動／回転操作部７３を備えている。
【００４６】
上記画像選択部７１は、ファクシミリ画像記憶装置３に記憶されている画像データを選択するためのものであって、画像選択ボタン７１ａ〜７１ｄからなっている。画像選択ボタン７１ａは、ファクシミリ画像記憶装置３に記憶されている画像データをＲＡＭ４に呼び出すためのものである。画像選択ボタン７１ｂおよび７１ｃは、ファクシミリ画像記憶装置３に記憶されている画像データを順番に選択するためのものである。画像選択ボタン７１ｄは、ファクシミリ画像記憶装置３に記憶されている画像データを削除するためのものである。
【００４７】
上記表示領域選択部７２は、表示装置６の表示領域の画面操作を有効にするためのものであって、表示領域選択ボタン７２ａおよび７２ｂからなっている。表示領域選択ボタン７２ａは、第１の表示領域６ａの画面操作を有効にするためのものである。表示領域選択ボタン７２ｂは、第２の表示領域６ｂの画面操作を有効にするためのものである。
【００４８】
上記移動／回転操作部７３は、表示装置６の表示領域に対して、移動／回転を操作するためのものであって、移動／回転操作ボタン７３ａ〜７３ｅからなっている。移動／回転操作ボタン７３ａ〜７３ｅは、表示領域選択部７２で指定された表示領域に対して、それぞれ、上、下、左、および右スクロール、ならびに９０°回転を操作するためのものである。
【００４９】
次に、本実施の形態のファクシミリ装置１００が、発信元から送信された画像データを受信し、表示装置６に表示するまでの処理について図４〜図８を参照しながら以下に説明する。
【００５０】
図４は、ファクシミリ画像記憶装置３に記憶されている画像データが、表示装置６に送信されるまでの伝達路を示す図である。
【００５１】
図５は、ファクシミリ画像記憶装置３に記憶されている画像データが、表示装置６に表示されるまでを模式的に示す図である。
【００５２】
図６は、発信元分離装置５における画像データの処理を示すフローチャートである。
【００５３】
図７は、受信した画像データが分離される一例を示す図である。
【００５４】
図８（ａ）は、表示装置６において、第１の表示領域６ａの解像度が第２の表示領域６ｂの解像度と同一である場合の表示の一例を示す図であり、（ｂ）は、表示装置６において、第１の表示領域６ａの解像度が第２の表示領域６ｂの解像度よりも高い場合の表示の一例を示す図である。
【００５５】
まず、網制御装置１によって、公衆通信網を介して発信元から送信された画像データが取り込まれ、取り込まれた画像データは、制御装置２によって、ファクシミリ画像記憶装置３に記憶される。この時点で、ユーザに対して画像データを受信した旨が報知される。
【００５６】
次に、ユーザが、画像表示開始ボタン７１ａを押下することによって、上記制御装置２は、上記ファクシミリ画像記憶装置３に記憶されている画像データをＲＡＭ４に呼び出し、上記発信元分離装置５に対して、ＲＡＭ４上の画像データから発信元情報部を分離させ、上記表示装置６に対して、分離された発信元情報と、該発信元情報以外の本文情報とを表示させる。
【００５７】
このとき、上記ファクシミリ画像記憶装置３に記憶されている画像データは、図４に示すように、ＲＡＭ４に展開された後、発信元分離装置５によって、発信元情報部と本文とに分離され、表示装置６に送信される。
【００５８】
また、上記ファクシミリ画像記憶装置３に記憶されている画像データは、図５に示すように、発信元情報部と本文とに分離され、表示装置６に表示される。
【００５９】
ここで、発信元分離装置５における上記ＲＡＭ４に呼び出された画像データの処理について、図６を参照しながら以下に説明する。
【００６０】
まず、画像データ展開部５ａは、上記ＲＡＭ４に呼び出された画像データをビットマップに展開し（ステップＳ１）、該展開された画像データをＲＡＭ４に格納する。
【００６１】
次いで、ライン数検出部５ｂは、上記ビットマップに展開された画像データに対して、先頭からの黒または白のライン数を検出する（ステップＳ２）。
【００６２】
続いて、発信元情報部検出部５ｃは、上記ライン数検出部５ｂのステップＳ２により検出された黒ライン数分の領域を、展開された画像データの発信元情報部として検出する（ステップＳ３）。
【００６３】
次いで、境界指定部５ｄは、上記ライン数検出部５ｂのステップＳ２により検出された白ライン数分の領域を、展開された画像データにおける発信元情報部と本文との境界を示す境界領域として指定し、該境界領域に含まれる白ラインの所定本数目の白ラインを境界ライン（図５の★付き点線）として指定する（ステップＳ４）。
【００６４】
さらに、画像データ分離部５ｅは、上記境界ラインを境界にして、図５に示すように、受信した画像データを発信元情報部と本文とに分離し（ステップＳ５）、上記分離した画像データを表示装置６に送信させる。
【００６５】
このように、上記の処理によって、図７の（ａ）に示す受信した画像データが、図７の（ｂ）に示す発信元情報部と本文とに分離した状態で、表示装置６に送信される。
【００６６】
最後に、図７の（ｂ）に示す分離した画像データが表示装置６に送信されると、表示装置６は、図８（ａ）に示すように、第１の表示領域６ａに発信元情報部を表示し、第２の表示領域６ｂに本文を表示する。このように、発信元情報が本文とは独立して表示されることで、ユーザは迅速に発信元を把握することが可能となる。なお、図８（ａ）では、第１の表示領域６ａの解像度と、第２の表示領域６ｂの解像度とは同じ場合を示している。
【００６７】
また、第１の表示領域６ａと第２の表示領域６ｂとの解像度が同じであるとき、第１の表示領域６ａに表示される文字が小さく認識し難い場合があるので、発信元をより確実に、且つ迅速に把握するためには、例えば図８（ｂ）に示すように、第１の表示領域６ａの解像度を第２の表示領域６ｂの解像度よりも高くするようにしてもよい。
【００６８】
また、図５に示すように、第２の表示領域６ｂに本文のみを表示させるのではなく、例えば、図１０に示すように、発信元が含まれた状態の元の画像データを表示させてもよい。
【００６９】
図９は、ファクシミリ画像記憶装置３に記憶されている画像データが、表示装置６に送信されるまでの伝達路を示す図である。
【００７０】
図１０は、図５において第２の表示領域６ｂに本文のみが表示されるのではなく、第２の表示領域６ｂに元の画像データ全体が表示されるまでを模式的に示す図である。
【００７１】
図１１は、図８（ｂ）において、第２の表示領域６ｂに元の画像データ全体表示の一例を示す図である。
【００７２】
この場合、図２に示す画像データ分離部５ｅは、境界指定部５ｄが指定した境界ラインに基づいて、画像データから発信元情報部を分離するだけでよい。
【００７３】
上記ファクシミリ画像記憶装置３に記憶されている画像データは、図９に示すように、ＲＡＭ４に展開された後、発信元分離装置５によって発信元情報部が分離され、表示装置６に送信される。また、発信元情報部が含まれている元の画像データは、既にＲＡＭ４上に格納されているので、表示制御手段としての制御装置２によって、直接表示装置６に送信される。
【００７４】
また、上記ファクシミリ画像記憶装置３に記憶されている画像データは、図１０に示すように、発信元情報部が分離され、発信元情報と発信元情報が含まれている元の画像データ全体が、表示装置６に表示される。
【００７５】
これにより、表示装置６は、図１１に示すように、第１の表示領域６ａに発信元情報を表示し、第２の表示領域６ｂに元の画像データ全体を表示する。それゆえ、第２の表示領域６ｂに元の画像データ全体を表示させるので、発信元情報と元の画像データ全体すなわち受信した画像データ全体とを迅速に把握することができる。
【００７６】
上記の第２の表示領域６ｂの表示領域サイズよりも、表示すべき画像の表示サイズのほうが大きい場合、画像データの全体の把握がし難いので、図１２および図１３に示すように、各表示領域内の画像をスクロールさせてもよい。
【００７７】
図１２は、図８（ｂ）において、第２の表示領域６ｂの画像を下にスクロールさせた一例を示す図であり、（ａ）はスクロール前を示す図であり、（ｂ）はスクロール後を示す図である。
【００７８】
図１３は、図１１において、第２の表示領域６ｂの画像を下にスクロールさせた一例を示す図であり、（ａ）はスクロール前を示す図であり、（ｂ）はスクロール後を示す図である。
【００７９】
例えば、ユーザが、表示領域選択ボタン７２ｂを押下することによって、上記制御装置２は、第２の表示領域６ｂの画面操作を有効にする。次いで、ユーザが、移動／回転操作ボタン７３ａ〜７３ｄを押下することによって、上記制御装置２は、第２の表示領域６ｂに表示された画像をスクロールさせる。それゆえ、表示領域選択部７２の表示領域選択ボタン７２ａまたは表示領域選択ボタン７２ｂを押下することによって、制御装置２が画面操作を有効にした表示領域のみの画像がスクロールされるので、選択していない表示領域の画像は変化することなく、第１の表示領域６ａと第２の表示領域６ｂとを迅速に把握することができる
送信されてくる画像データが上下逆向きになっている場合、画像データの内容の把握がし難いので、図１４〜図１６に示すように、表示領域内の画像を回転させてもよい。
【００８０】
図１４は、受信した画像データが上下さかさまの場合に表示される一例を示す図である。
【００８１】
図１５は、第２の表示領域６ｂに本文のみを表示させ、第２の表示領域６ｂの画像を１８０度回転させた一例を示す図であり、（ａ）は回転前を示す図であり、（ｂ）は回転後を示す図である。
【００８２】
図１６は、第２の表示領域６ｂに元の画像データ全体を表示させ、第２の表示領域６ｂの画像を１８０度回転させた一例を示す図であり、（ａ）は回転前を示す図であり、（ｂ）は回転後を示す図である。
【００８３】
例えば、ユーザが、表示領域選択ボタン７２ｂを押下することによって、上記制御装置２は、第２の表示領域６ｂの画面操作を有効にする。次いで、ユーザが、移動／回転操作ボタン７３ｅを押下することによって、上記制御装置２は、第２の表示領域６ｂに表示された画像を回転させる。それゆえ、表示領域選択部７２の表示領域選択ボタン７２ａまたは表示領域選択ボタン７２ｂを押下することによって、制御装置２が画面操作を有効にした表示領域のみの画像が回転されるので、選択していない表示領域の画像は変化することなく、第１の表示領域６ａと第２の表示領域６ｂとを迅速に把握することができる。
【００８４】
なお、上記処理では、第１の表示領域６ａの解像度は、第２の表示領域６ｂの解像度と同じ場合や、第１の表示領域６ａの解像度は第２の表示領域６ｂの解像度よりも高い場合について説明したが、第１の表示領域６ａおよび第２の表示領域６ｂの解像度は、あらかじめ解像度を設定してもよいし、入力手段などの操作により解像度を変更してもよい。また、前回の解像度で表示するように設定してもよいし、発信元情報部がちょうど第１の表示領域６ａに収まるように解像度を決定してもよい。
【００８５】
また、本発明は、上記の実施の形態に限定されるものではなく、本発明の範囲内で種々の変更が可能である。
【００８６】
以上、本実施の形態では、受信した画像データを表示装置６に表示させるデータに展開した後、発信元情報を特定して分離する例について説明したが、これに限定されるものではなく、受信した画像データを表示装置６に表示させるデータに展開する前に、発信元情報を特定して分離するようにしてもよい。この例について、下記の実施の形態２で説明する。
【００８７】
〔実施の形態２〕
本発明の他の実施の形態について説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００８８】
前記実施の形態１では、発信元分離装置５が、図２に示すように、ファクシミリ画像記憶装置３に記憶された画像データを、ビットマップに展開し、ＲＡＭ４に格納した後、発信元情報部と本文とに分離していたが、本実施の形態では、図１７に示す発信元分離装置５０が、画像データをビットマップに展開する前に、発信元情報部と本文とに分離するようになっている。
【００８９】
本実施の形態について説明すれば、以下の通りである。
【００９０】
図１７は、発信元分離装置５の他の構成である本実施の形態の発信元分離装置５０の構成を示すブロック図である。
【００９１】
発信元分離装置５０は、上記ファクシミリ画像記憶装置３に記憶された画像データから発信元情報部を分離するものであり、発信元情報部特定部５０ａ、および発信元情報部分離部５０ｂを備えている。
【００９２】
上記発信元情報部特定部５０ａは、ファクシミリ画像記憶装置３に記憶された画像データに対して、先頭から、あらかじめ決められたライン数を発信元情報部とみなし、発信元情報部を特定する。
【００９３】
上記発信元情報部分離部５０ｂは、上記ファクシミリ画像記憶装置３に記憶された画像データから、上記特定した発信元情報部を分離する。
【００９４】
具体的には、ユーザが、画像選択ボタン７１ａを押下することによって、上記制御装置２は、発信元情報部特定部５０ａに対して、ファクシミリ画像記憶装置３に記憶された画像データに対して、先頭から、あらかじめ決められたライン数を発信元情報部とみなし、発信元情報部を特定させる。
【００９５】
次いで、上記制御装置２は、発信元情報部分離部５０ｂに対して、発信元情報部を分離させる。
【００９６】
上記発信元情報部分離部５０ｂにて分離された画像データは、表示装置６に送信される。上記発信元分離装置５０の処理によって、図７に示すのと同様に、画像データが分離される。
【００９７】
したがって、発信元情報部特定部５０ａが、あらかじめ決められたライン数により発信元情報部を特定し、発信元情報部分離部５０ｂが上記特定した発信元情報部を分離するので、より簡単な構成により発信元情報部を分離することができる。
【００９８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９９】
本発明は、受信した画像データを印字前に表示させる機能を有するファクシミリ装置において好適に用いることができる。
【図面の簡単な説明】
【０１００】
【図１】本発明におけるファクシミリ装置の実施の一形態を示すブロック図である。
【図２】上記ファクシミリ装置における発信元分離装置の構成を示すブロック図である。
【図３】上記ファクシミリ装置における入力装置の操作ボタン部の一例を示す図である。
【図４】上記ファクシミリ装置における受信した画像データの伝達路を示す図である。
【図５】上記ファクシミリ装置における受信した画像データが表示されるまでを模式的に示す図である。
【図６】上記ファクシミリ装置における発信元分離装置における画像データの処理を示すフローチャートである。
【図７】上記ファクシミリ装置における画像データが分離される一例を示す図である。
【図８】上記ファクシミリ装置における分離された表示の一例を示す図であり、（ａ）は第１の表示領域の解像度と第２の表示領域の解像度が同じ場合を示す図であり、（ｂ）は１の表示領域の解像度が第２の表示領域の解像度よりも高い場合を示す図である。
【図９】上記ファクシミリ装置における受信した画像データの伝達路を示す図である。
【図１０】上記ファクシミリ装置における受信した画像データが表示されるまでを模式的に示す図である。
【図１１】上記ファクシミリ装置における分離された表示の一例を示す図である。
【図１２】上記ファクシミリ装置における分離された表示の一例を示す図であり、（ａ）は本文のスクロール前の状態を示す図であり、（ｂ）は本文のスクロール後の状態を示す図である。
【図１３】上記ファクシミリ装置における分離された表示の一例を示す図であり、（ａ）は本文のスクロール前の状態を示す図であり、（ｂ）は本文のスクロール後の状態を示す図である。
【図１４】上記ファクシミリ装置における画像データが分離される一例を示す図である。
【図１５】上記ファクシミリ装置における分離された表示の一例を示す図であり、（ａ）は回転前を示す図であり、（ｂ）は回転後を示す図である。
【図１６】上記ファクシミリ装置における分離された表示の一例を示す図であり、（ａ）は回転前を示す図であり、（ｂ）は回転後を示す図である。
【図１７】上記ファクシミリ装置における発信元分離装置の他の構成を示す図である。
【符号の説明】
【０１０１】
１      網制御装置
２      制御装置
３      ファクシミリ画像記憶装置
４      ＲＡＭ
５，５０  発信元分離装置（情報分離手段）
５ａ    画像データ展開部（画像データ展開部）
５ｂ    ライン数検出部（ライン数検出部）
５ｃ    発信元情報部検出部（発信元領域特定部）
５ｄ    境界指定部（境界領域特定部）
５ｅ    画像データ分離部（情報分離部）
６      表示装置（表示手段）
６ａ    第１の表示領域（第１の表示部）
６ｂ    第２の表示領域（第２の表示部）
７      入力装置
７ａ    操作ボタン部
５０ａ  発信元情報部特定部（発信元情報特定部）
５０ｂ  発信元情報部分離部（情報分離部）
１００  ファクシミリ装置
【図１】
2007243341.tif 000003
【図２】
2007243341.tif 000004
【図３】
2007243341.tif 000005
【図４】
2007243341.tif 000006
【図５】
2007243341.tif 000007
【図６】
2007243341.tif 000008
【図７】
2007243341.tif 000009
【図８】
2007243341.tif 000010
【図９】
2007243341.tif 000011
【図１０】
2007243341.tif 000012
【図１１】
2007243341.tif 000013
【図１２】
2007243341.tif 000014
【図１３】
2007243341.tif 000015
【図１４】
2007243341.tif 000016
【図１５】
2007243341.tif 000017
【図１６】
2007243341.tif 000018
【図１７】
2007243341.tif 000019